(57)【要約】唾液検査装置及び方法とこれを用いた動物モニタリングシステム及び方法が開示される。本発明は、接近感知信号を生成する手段と、接触感知信号を生成する手段と、多数個の接近感知信号及び接触感知信号のうち少なくとも何れか一つ以上の信号に対応して飲用水供給制御が行われる飲用水供給部と、飲用水パイプの端部に設けられたチューブの一端が連結され、接触感知信号に対応して唾液を吸入して採取するポンプと、採取された唾液に対する発病の有無を検査して検査結果情報を出力する検査部と、検査結果情報をセンターへ通知する通信部と、接近感知信号に対応してシステム駆動制御信号を生成し、接触感知信号に対応してポンプ駆動制御信号を生成し、唾液採取に対応して飲用水供給制御信号を生成し、検査結果情報に対する伝送制御を行う制御部と、運営プログラムと入出力されるデータを格納するメモリと、を含む。本発明によると、簡単な検査法を通じて動物のストレスを減少させることができるので、生産性の向上を期待できるだけでなく、検査費用も最小化することができる。【選択図】図１
2019534987.tif 000002
【特許請求の範囲】
【請求項１】
接近感知信号を生成する手段と、
接触感知信号を生成する手段と、
多数個の前記接近感知信号及び接触感知信号のうち少なくとも何れか一つ以上の信号に対応して飲用水供給制御が行われる飲用水供給部と、
飲用水パイプの端部に設けられたチューブの一端が連結され、前記接触感知信号に対応して唾液を吸入して採取するポンプと、
採取された唾液に対する発病の有無を検査して検査結果情報を出力する検査部と、
前記検査結果情報をセンターへ通知する通信部と、
前記接近感知信号に対応してシステム駆動制御信号を生成し、前記接触感知信号に対応してポンプ駆動制御信号を生成し、唾液採取に対応して飲用水供給制御信号を生成し、前記検査結果情報に対する伝送制御を行う制御部及び、
運営プログラムと入出力されるデータを格納するメモリと、を含むことを特徴とする、
唾液検査装置。
【請求項２】
前記検査部は、前記チューブの他端に連結されて採取された唾液を保存する唾液保存部と、保存された唾液を供給する唾液供給部と、発病の有無検査を行う検査モジュール及び、唾液を排出する唾液排出部と、を含むことを特徴とする請求項１に記載の唾液検査装置。
【請求項３】
前記ポンプは、チューブ連動ポンプであることを特徴とする請求項１に記載の唾液検査装置。
【請求項４】
接近感知信号生成に対応してシステムを駆動させる段階と、
接触感知信号生成に対応してチューブ連動ポンプを駆動させて当該動物の口腔内唾液を採取する段階と、
採取された唾液が設定量に達すると、チューブ連動ポンプ駆動停止信号を生成すると共に飲用水供給制御信号を生成して飲用水を供給する段階と、
前記採取された唾液を検査部に供給してリアルタイムで発病の有無検査を行う段階と、
前記発病の有無検査の検査結果情報を生成して出力する段階及び、
前記検査結果情報をセンターへ通知する段階と、を含むことを特徴とする、
唾液検査方法。
【請求項５】
前記飲用水供給制御信号に対応して飲用水パイプに設けられたソレノイドバルブが開放されることを特徴とする請求項４に記載の唾液検査方法。
【請求項６】
動物に装着されたチップ（Ｃｈｉｐ）と、
給水施設に装着されて動物から唾液を採取し、採取された唾液から発病の有無をリアルタイムで検査して、検査結果情報をセンターへ伝送する唾液検査装置及び、
前記検査結果情報を受信して管理するセンターと、を含むことを特徴とする、
動物モニタリングシステム。
【請求項７】
前記唾液検査装置は、常時駆動状態を維持し、チップ（Ｃｈｉｐ）の設定距離以内の進入に対応して接近感知信号を生成する接近感知部と、飲用水パイプの端部に設けられ、動物の接触に対応して接触感知信号を生成するセンサ部と、前記接近感知信号と前記接触感知信号のうち少なくとも何れか一つの信号に対応して飲用水の供給制御が行われる飲用水供給部と、前記飲用水パイプの端部に設けられたチューブの一端が連結され、前記接触感知信号に対応して唾液を吸入して採取するポンプと、採取された唾液に対する発病の有無を検査して検査結果情報を出力する検査部と、前記検査結果情報をセンターへ通知する通信部と、前記接近感知信号に対応してシステム駆動制御信号を生成し、前記接触感知信号に対応してポンプ駆動制御信号を生成し、唾液採取に対応して飲用水供給制御信号を生成し、前記検査結果情報に対する伝送制御を行う制御部及び、運営プログラムと入出力されるデータを格納するメモリと、を含むことを特徴とする請求項６に記載の動物モニタリングシステム。
【請求項８】
唾液検査装置において、
（ａ）チップが装着された動物が給水施設を利用することを感知して唾液を採取し、採取された唾液に対してリアルタイムで発病の有無を検査する段階及び、
（ｂ）前記発病の有無検査の検査結果情報をセンターへ通知する段階と、を含むことを特徴とする、
動物モニタリング方法。
【請求項９】
前記段階（ａ）は、接近感知信号生成に対応してシステムを駆動させる段階と、接触感知信号生成に対応してチューブ連動ポンプを駆動させて当該動物の口腔内唾液を採取する段階と、採取された唾液が設定量に達すると、チューブ連動ポンプ駆動停止信号を生成すると共に飲用水供給制御信号を生成して飲用水を供給する段階と、前記採取された唾液を検査部に供給してリアルタイムで発病の有無検査を行う段階及び、前記発病の有無検査の検査結果情報を生成して出力する段階と、を含むことを特徴とする請求項８に記載の動物モニタリング方法。
【請求項１０】
個体別に発病有無の分析時期を確認して前記発病有無の分析時期が設定時間を超過しなかった個体が接近する場合、前記チューブ連動ポンプは停止状態を維持し、前記接触感知信号が発生すれば、飲用水を直ちに供給することを特徴とする請求項９に記載の動物モニタリング方法。
【発明の詳細な説明】
【技術分野】
【０００１】
本発明は、動物の唾液検査技法に関するものである。さらに具体的には動物の飲用水摂取過程において当該動物の唾液を採取、検査及び通知する唾液検査装置及び方法とこれを用いた動物モニタリングシステム及び方法に関するものである。
【背景技術】
【０００２】
人間の生活と密接な関係を有する家畜、ペットは管理を必要とする。
【０００３】
特に、飼育される家畜に対しては防疫守則が存在しており、これに従い、畜舎の周囲を周期的に消毒したり、必要に応じて予防接種などを行っている。
【０００４】
これは、家畜伝染病を予防するためであって、各国別に家畜伝染病予防法により管理が行われている。
【０００５】
一例として、豚の場合、養豚場は年３回以上、種豚場は分期別１回にモニタリング検査を施行しており、屠殺豚の場合農家を無作為選別してモニタリング検査を施行している。この時、養豚場、種豚場、屠殺場で採取した血液から血清を用いて酵素結合免疫吸着分析法（Ｅｎｚｙｍｅ−Ｌｉｎｋｅｄ  Ｉｍｍｕｎｏａｂｓｏｒｂｅｎｔ  Ｓｅｒｏｌｏｇｉｃ  Ａｓｓａｙ；ＥＬＩＳＡ）により抗体を検出している。また、養豚場及び種豚場で採取する血液のうち白血球を用いてＥＬＩＳＡ診断法により抗原を検出することもできる。
【０００６】
ＥＬＩＳＡ方法は、抗体に酵素を結合させて抗原−抗体反応を確認する方法であって、その方法が簡単で多くの費用がかからず、且つ多量分析ができるため、現在最も広く使われている抗原−抗体分析法の一つである。特に、ＥＬＩＳＡ方法は放射能免疫試験法（Ｒａｄｉｏ  ＩｍｍｕｎｏＡｓｓａｙ；ＲＩＡ）のように非常に敏感な反応ながらもＲＩＡのように放射能を使わないという利点がある。
【０００７】
抗体に結合される酵素のうちには簡単な基質溶液を入れると色が変わる反応に利用されるものがあるが、代表的な酵素としては塩基性リン酸分解酵素（ａｌｋａｌｉｎｅ  ｐｈｏｓｐｈａｔａｓｅ）や洋ワサビ過酸化酵素（ＨｏｒｓｅＲａｄｉｓｈ  Ｐｅｒｏｘｉｄａｓｅ；ＨＲＰ）等が多く利用されている。これらの酵素は抗体分子のＣ地域に共有結合されるように化学反応を用いて結合させ、一般的にｉｓｏｔｙｐｅに対する抗体に酵素が結合された形態（ｅｎｚｙｍｅ  ｃｏｎｊｕｇａｔｅｄ  ａｎｔｉ−ｉｓｏｔｙｐｅ  ａｎｔｉｂｏｄｙ、例えばａｌｋａｌｉｎｅ  ｐｈｏｓｐｈａｔａｓｅ  ｃｏｎｊｕｇａｔｅｄ  ａｎｔｉ−ｍｏｕｓｅ  ＩｇＧ等）で販売されていて、自身が利用する抗体の級に合う酵素結合抗体を購入して使えば良い。
【０００８】
ＥＬＩＳＡ方法は、タンパク質抗原をプラスチックｍｉｃｒｏｔｉｔｅｒ  ｐｌａｔｅに吸着させてから抗血清と反応させて洗浄した後、酵素が付着された抗グロブリンを添加する。その後、酵素に対する基質を処理して発色される程度を分光光度計を用いて抗原−抗体反応を測定する。
【０００９】
一例として、豚の場合には国際的に指定された悪性家畜伝染病である豚コレラに対する防疫実施要領などが告示されている。豚コレラは伝染性が非常に強くて、発病すれば未だにも治療が不可能な急性斃死ウイルス伝染病である。これに感染したり感染が疑われる豚は全部殺処分、埋没、焼却されている。それだけでなく、豚コレラの発生地域は移動統制が行われるようになる。
【００１０】
このような深刻性を考慮して、伝染病の拡散を最小化するために豚コレラ検査をリアルタイムで処理するためのシステム構築が必要となっているが、未だ不備な実情である。一方、豚コレラ検査方法として、『ロープによる唾液採取（Ｈｏｗ  ｔｏ  ｃｏｌｌｅｃｔ  ｏｒａｌ  ｆｌｕｉｄ  ｓａｍｐｌｅｓ）』検査方法があるが、この方法は、豚のストレスを増加させてこれに伴って生産性が低下する問題点がある。また、『ロープによる唾液採取』検査方法は、費用負担が大きくて農家でも忌避している。
【００１１】
以上のように、リアルタイム処理が可能かつ値安な検査方法が必要な実情である。
【発明の概要】
【発明が解決しようとする課題】
【００１２】
本発明は、上述した従来技術の問題点を解決するためのものであって、本発明の目的は、動物の飲用水摂取過程において当該動物の唾液を採取してリアルタイムで発病の有無を検査し、検査結果情報をセンターへリアルタイム通知する唾液検査装置及び方法とこれを用いた動物モニタリングシステム及び方法を提供することにある。
【課題を解決するための手段】
【００１３】
前記のような目的を達成するための本発明の唾液検査装置は、接近感知信号を生成する手段と、接触感知信号を生成する手段と、多数個の前記接近感知信号及び接触感知信号のうち少なくとも何れか一つ以上の信号に対応して飲用水供給の制御が行われる飲用水供給部と、前記飲用水パイプの端部に設けられたチューブの一端が連結され、前記接触感知信号に対応して唾液を吸入して採取するポンプと、採取された唾液に対する発病の有無を検査して検査結果情報を出力する検査部と、前記検査結果情報をセンターへ通知する通信部と、前記接近感知信号に対応してシステム駆動制御信号を生成し、前記接触感知信号に対応してポンプ駆動制御信号を生成し、唾液採取に対応して飲用水供給制御信号を生成し、前記検査結果情報に対する伝送制御を行う制御部及び、運営プログラムと入出力されるデータを格納するメモリと、を含む。
【００１４】
この時、前記検査部は、前記チューブの他端（下端）に連結されて採取された唾液を保存する唾液保存部と、保存された唾液を供給する唾液供給部と、発病の有無検査を行う検査モジュール及び、唾液を排出する唾液排出部と、を含む方が好ましい。
【００１５】
また、前記ポンプは、チューブ連動ポンプを用いる方が好ましい。
【００１６】
本発明の唾液検査方法は、接近感知信号生成に対応してシステムを駆動させる段階と、接触感知信号生成に対応してチューブ連動ポンプを駆動させて当該動物の口腔内唾液を採取する段階と、採取された唾液が設定量に達すると、チューブ連動ポンプ駆動停止信号を生成すると共に飲用水供給制御信号を生成して飲用水を供給する段階と、前記採取された唾液を検査部に供給してリアルタイムで発病の有無検査を行う段階と、前記発病の有無検査の検査結果情報を生成して出力する段階及び、前記検査結果情報をセンターへ通知する段階と、を含む。
【００１７】
ここで、前記飲用水供給制御信号に対応して飲用水パイプに設けられたソレノイドバルブが開放される方が好ましい。
【００１８】
本発明の動物モニタリングシステムは、動物に装着されたチップ（Ｃｈｉｐ）と、給水施設に装着されて動物から唾液を採取し、採取された唾液から発病の有無をリアルタイムで検査して、検査結果情報をセンターへ伝送する唾液検査装置及び、前記検査結果情報を受信して管理するセンターと、を含む。
【００１９】
本発明の動物モニタリング方法は、唾液検査装置において、（ａ）チップが装着された動物が給水施設を利用することを感知して唾液を採取し、採取された唾液に対してリアルタイムで発病の有無を検査する段階及び、（ｂ）前記発病の有無検査の検査結果情報をセンターへ通知する段階と、を含む。
【００２０】
この時、個体別に発病有無の分析時期を確認して、前記発病有無の分析時期が設定時間を超過しない個体が接近する場合、前記チューブ流動ポンプは停止状態を維
持し、前記接触感知信号が発生すれば、飲用水を直ちに供給する方が好ましい。
【発明の効果】
【００２１】
上述した通り、本発明による唾液検査装置及び方法とこれを用いた動物モニタリングシステム及び方法によると、簡単な検査法によって動物のストレスを減少させることができるので、生産性向上を期待できるだけでなく、検査費用を最小化することができる。
【００２２】
また、本発明によれば、個体別リアルタイムモニタリングができるので、発病時に迅速に対処できるのみならず、発病個体も正確に確認することができる。
【図面の簡単な説明】
【００２３】
【図１】本発明の第１の実施形態による動物モニタリングシステムの構成図である。
【図２】本発明の第１の実施形態による唾液検査装置の構成図である。
【図３】発明の第１の実施形態による検査部の構成図である。
【図４】本発明の第１の実施形態による圧出機の構成図である。
【図５】本発明の第１の実施形態による動物モニタリング方法のフローチャートである。
【図６】本発明の第１の実施形態による唾液検査方法のフローチャートである。
【図７】本発明の第１の実施形態による同一個体処理過程を示したフローチャートである。
【図８】本発明の第１の実施形態による発病の有無検査過程を示したフローチャートである。
【発明を実施するための形態】
【００２４】
以下では本発明の好ましい実施形態及び添付図面を参照して本発明を詳細に説明するが、図面の同一参照符号は同一構成要素を示すことを前提として説明する。
【００２５】
発明の詳細な説明又は特許請求の範囲において、何れか一つの構成要素が他の構成要素を「含む」とする時、これは特に反対される記載がない限り当該構成要素だけからなると限定して解釈せずに、他の構成要素を更に含むことができると理解すべきである。
【００２６】
また、発明の詳細な説明又は特許請求の範囲において、「〜手段」、「〜部」、「〜モジュール」、「〜ブロック」と命名された構成要素は、少なくとも一つ以上の機能や動作を処理する単位を意味し、これらのそれぞれは、ソフトウェアまたはハードウェア、または、これらの結合によって具現できる。
【００２７】
以下では本発明の唾液検査装置及び方法とこれを用いた動物モニタリングシステム及び方法が具現された一例を特定の実施形態によって説明する。
【００２８】
なお、本発明の説明において、説明の便宜のために動物のうち、豚に対する唾液検査が行われる過程に対して説明する。即ち、本発明は家畜及びペットを含めた全ての動物に適用できる。
【００２９】
図１は、本発明の第１の実施形態による動物モニタリングシステムの構成図である。
【００３０】
図１を参照する。本発明の動物モニタリングシステムは、豚（動物）に装着されたチップ（Ｃｈｉｐ）１と、給水施設２に装着されて豚（動物）から唾液を採取し、採取された唾液から発病の有無をリアルタイムで検査して、検査結果情報をセンターへ伝送する唾液検査装置３と、検査結果情報を受信して管理するセンター４と、を含む。
【００３１】
ここで、チップ１は、近距離通信用チップ１を利用する方が好ましく、ブルートゥース（登録商標）チップ１等を利用し得る。
【００３２】
一方、唾液検査装置３は、給水施設２の端部には飲用水を供給すると共に唾液を採取する圧出機５が突出され、唾液採取のためのチューブ６が圧出機５と唾液検査装置３を連結している。唾液検査装置３は、給水施設２の周辺部に装着される方が好ましく、一つの唾液検査装置３が一つの給水施設２に連結されることもでき、多数の給水施設２と連結されることもできる。唾液検査装置３はチップ１の近接に対応した自動駆動制御、飲用水供給制御、唾液採取制御、発病の有無検査制御、通信制御などの機能を行う。
【００３３】
このように構成された本発明は、チップ１が装着された豚（動物）が唾液検査装置３に設定距離以内に接近すると、唾液検査装置３の自動駆動が行われるようになる。勿論、唾液検査装置３は常時駆動状態を維持することもできる。
豚（動物）が給水施設２を利用することを感知すると、唾液検査装置３は豚（動物）の口から唾液を採取する。唾液採取が完了すれば、引き続き飲用水を供給する。ここで、唾液採取と飲用水供給のプロセスは任意に設定することができて、飲用水の供給後に唾液採取が行われることができるし、また、飲用水が供給されている状態で唾液採取が行われることもできる。続いて、唾液検査装置３は唾液において発病の有無検査をリアルタイムで行う。そして、唾液検査装置３は個体別に検査結果情報をセンター４へリアルタイムに通知する。
【００３４】
図２は、本発明の第１の実施形態による唾液検査装置の構成図である。
【００３５】
図２を参照する。本発明の唾液検査装置３は、常時駆動状態を維持し、チップ１の設定距離以内の進入に対応して接近感知信号を生成する接近感知部３１と、飲用水パイプ（図４）２１の端部に設けられ、豚（動物）の接触に対応して接触感知信号を生成するセンサ部３２と、接近感知信号と接触感知信号のうち少なくとも何れか一つの信号に対応して飲用水供給制御が行われる飲用水供給部３３と、飲用水パイプ２１の端部に設けられたチューブ６の一端が連結され、接触感知信号に対応して唾液を吸入して採取するポンプ３４と、採取された唾液に対する発病の有無を検査して検査結果情報を出力する検査部３５と、検査結果情報をセンター４へ通知する通信部３６と、接近感知信号に対応してシステム駆動制御信号を生成し、接触感知信号に対応してポンプ駆動制御信号を生成し、唾液採取（量）に対応して飲用水供給制御信号を生成し、検査結果情報に対する伝送制御を行う制御部３７と、運営プログラムと入出力されるデータを格納するメモリ３８と、を含む。
【００３６】
ここで、接近感知部３１は、近距離通信モジュールを用いる方が好ましく、近距離通信モジュールでは、ブルートゥースモジュールなどを利用し得る。
【００３７】
飲用水供給部３３は、唾液採取量に対応して自動開閉されるソレノイドバルブ（図４）２２を含む方が好ましい。
【００３８】
ポンプ３４は、チューブ連動ポンプ３４を用いる方が好ましい。これは、豚（動物）のストレスを最小化することができる。
【００３９】
通信部３６は、有線または無線通信モジュールで構成され、農家に設置されたコンピュータ（未図示）またはセンター４と有無線通信ができるように構成される方が好ましい。ここで、通信部３６は、農家に設置されたコンピュータを介してセンター４に接続される方が好ましい。
【００４０】
このように構成された本発明の唾液検査装置３は、チップ１が感知半径以内に接近すれば、接近感知部３１においては接近感知信号を生成させて制御部３７に伝送する。制御部３７においては接近感知信号に対応してシステム駆動制御信号を生成してシステムを駆動させる。これによってセンサ部３２の駆動が行われて、センサ部３２においては豚（動物）の接触が有るかを判断する。豚（動物）が飲用水パイプ２１の端部に接触すれば、センサ部３２においては接触感知信号を生成して制御部３７に伝送する。制御部３７においては接触感知信号に対応してポンプ駆動制御信号を生成してポンプ３４を駆動させる。これによってポンプ３４においては飲用水パイプ２１の端部に設けられたチューブ６を通じて豚（動物）の口腔内唾液を吸入する。
採取された唾液は検査部３５に供給され、一例として唾液採取量が設定量に達すると、検査部３５においては飲用水供給制御信号を生成して制御部３７に伝送する。制御部３７においては飲用水供給制御信号に対応して飲用水供給制御が行われるようになる。この時、前記のように唾液採取と飲用水供給のプロセスは任意に設定できる。引き続き、検査部３５においては採取された唾液に対する発病の有無検査が行われるようになる。検査部３５においては検査結果情報を生成して制御部３７に伝送し、制御部３７においては検査結果情報を通信部３６を通じてセンター４に伝送するように伝送制御を行うようになる。このように本発明においては唾液検査装置３によりリアルタイムで発病の有無検査及び通知が行われる。
【００４１】
図３は、本発明の第１の実施形態による検査部３５の構成図である。
【００４２】
図３を参照する。本発明の検査部３５は、チューブ６の他端に連結されて採取された唾液を保存する唾液保存部３５１と、保存された唾液を供給する唾液供給部３５２と、発病の有無検査を行う検査モジュール３５３と、唾液を排出する唾液排出部３５４と、を含む。
【００４３】
ここで、唾液採取量の重さを測定する重さ測定部３５５を更に含む方が好ましい。
【００４４】
また、唾液保存部３５１を洗浄する洗浄部３５６も更に含む方が好ましい。
【００４５】
一方、唾液供給部３５２及び唾液排出部３５４は、制御部３７により制御されるソレノイドバルブを含む方が好ましい。
【００４６】
このように構成された本発明の検査部３５は、チューブ連動ポンプ３４の駆動によって唾液が唾液保存部３５１に保存されると、唾液保存部３５１においては設定量に達するまで唾液を採取する。この時、唾液が設定量に達すると、チューブ連動ポンプ３４の駆動を停止させるポンプ駆動停止信号を生成する。ポンプ駆動停止信号に対応して制御部３７においては、唾液供給信号を生成して唾液を検査モジュール３５３に供給する。これにより検査モジュール３５３においてはリアルタイムで発病の有無検査が行われるようになる。
一方、発病の有無検査が完了すれば、検査モジュール３５３は、検査結果情報と発病の有無検査終了信号を生成して制御部３７に伝送する。これによって制御部３７においては検査結果情報を通信部３６に伝送して発病の有無検査終了信号に対応して保存された唾液を唾液排出部３５４を通じて外部に排出させるように制御する。以後、唾液保存部３５１に対する洗浄過程が行われることができ、洗浄液は唾液排出部３５４を通じて外部に排出される。
【００４７】
ここで唾液の採取は、豚（動物）に個別に行うことができ、全ての豚（動物）に行うこともできる。
【００４８】
図４は、本発明の第１の実施形態による圧出機の構成図である。
【００４９】
図４を参照する。本発明の圧出機５は、飲用水パイプ２１の端部に設けられ、豚（動物）の歯噛みに対応して開放が行われるボタン５１が形成されている。
【００５０】
ここで、圧出機５は、給水施設２と分離された部品で製造される方が好ましく、給水施設２に結合される結合部５２を更に形成することができる。
【００５１】
そして、圧出機５の内部には、ボタン５１を固定させる固定部（未図示）が形成されていて、固定部にはボタン５１に形成されたホールの上下運動によって連通されて飲用水が通過する飲用水通過ホールと、チューブ連動ポンプ３４に連結されたチューブ６が通過するチューブホールが形成されている。
【００５２】
一方、チューブ連動ポンプ３４に連結されたチューブ６は、圧出機５の外部に突出した状態でセッティングされることもできる。
【００５３】
このように構成された本発明の圧出機５は、前記の通り、飲用水パイプ２１に形成されたソレノイドバルブの開放（唾液採取量が設定量に達した時）に対応して圧出機５で飲用水の供給が行われ、豚（動物）の歯噛み動作によって飲用水通過ホールが連通されて飲用水の供給が行われるようになる。
【００５４】
ここでは前記のように構成された動物モニタリングシステムを用いた本発明の唾液検査方法に対して説明する。
【００５５】
図５は、本発明の第１の実施形態による動物モニタリング方法のフローチャートである。
【００５６】
図５を参照する。先ず、豚（動物）にチップ１を装着する（Ｓ１）。
【００５７】
チップ１が装着された豚（動物）が給水施設２を利用すると（Ｓ２）、唾液検査装置３はこれを感知して唾液を採取し（Ｓ３）、引き続きリアルタイムで唾液に対して発病の有無検査を実施する（Ｓ４）。
【００５８】
唾液検査装置３は、検査結果情報を生成してセンター４へ通知する（Ｓ５）。この時、検査結果情報には唾液採取が行われた個体情報、発病有無の分析結果情報及び分析時期を含む方が好ましい。
【００５９】
図６は、本発明の第１の実施形態による唾液検査方法のフローチャートである。
【００６０】
図６を参照する。接近感知部が常時駆動されている状態で（Ｓ１１）、チップ１が装着された豚（動物）が給水施設２に接近すると（Ｓ１２）、接近感知部３１においては当該個体のＩＤを確認して制御部３７に伝達する（Ｓ１３）。また、接近感知部３１においては接近感知信号を生成して制御部３７に伝達し、これによって制御部３７においてはシステムの全体又は一部を駆動させることができる（Ｓ１３）。
【００６１】
システム駆動に対応してセンサ部３２においては、豚（動物）が圧出機５に接触（歯噛み）したか否かを判断する（Ｓ１４）。
【００６２】
豚（動物）の歯噛みがある場合には、センサ部３２においては接触感知信号を生成して制御部３７に伝送する。これによって制御部３７においては接触感知信号に対応してポンプ駆動制御信号を生成してチューブ連動ポンプ３４を駆動させる（Ｓ１５）。こうして当該豚（動物）の口腔内の唾液の採取が行われるようになる（Ｓ１６）。
【００６３】
この時、検査部３５においては、唾液採取量が設定量に達したかを判断して（Ｓ１７）、唾液採取量が設定量に達すれば、チューブ連動ポンプ駆動停止信号を生成すると共に飲用水供給制御信号を生成して制御部３７に伝送する（Ｓ１８）。
【００６４】
制御部３７においては、チューブ連動ポンプ３４の駆動を停止させて、飲用水パイプ２１に設けられたソレノイドバルブを開放させて飲用水を供給する。引き続き、豚（動物）の歯噛みにより飲用水通過ホールが連通されて飲用水の排出が行われるようになる（Ｓ１９）。
【００６５】
一方、採取された唾液は、検査部３５に供給されて発病の有無検査がリアルタイムで行われるようになる（Ｓ２０）。
【００６６】
検査部３５においては、検査結果情報を生成して制御部３７に伝達し、制御部３７においては、検査結果情報を通信部３６を通じてセンター４に伝送するように伝送制御を行うようになる。これによってリアルタイムで発病の有無検査及び通知が行われるようになる。
【００６７】
一方、同一個体が再接近する場合には（Ｓ３１）、図７に示された通り、制御部３７において当該個体の発病有無の分析時期を確認して設定時間が超過したか確認する（Ｓ３２）。設定時間を超過しなかった場合には、チューブ連動ポンプ３４は停止状態を維持し、接触感知信号が発生すれば、飲用水供給部３３を通じてソレノイドバルブ２２を開放させて飲用水を直ちに供給する（Ｓ１８に進行）。つまり、発病有無の分析時期が設定時間を超過する場合にのみ前記の段階Ｓ１３に進んで唾液採取過程を進行する。
【００６８】
一方、圧出機５ごとに唾液保存部３５１を多数備える場合には、多数の個体に対して同時に発病の有無検査が可能である。即ち、発病有無の分析時期に合わせて移動式に製造してリアルタイムで発病の有無検査を行うことができる。このように、同時に多くの個体が圧出機５を利用する場合、個体別区分は別途の装備、例えばカメラなどを利用する方が好ましい。
【００６９】
一方、本実施形態においては、唾液採取が行われてから飲用水供給をする場合について説明しているが、飲用水供給が先に行われた後、唾液採取をすることもでき、また、飲用水の供給と同時に唾液採取をすることもできる。当該プロセスは抗体検査条件及び環境に応じて決定されることが好ましい。
【００７０】
図８は、本発明の第１の実施形態による発病の有無検査過程を示したフローチャートである。
【００７１】
図８を参照する。唾液保存部３５１に保存された唾液に対してソレノイドバルブを開放して検査モジュール３５３に供給する（Ｓ４１）。
【００７２】
検査モジュール３５３においては、発病の有無に対する分析及び判断が行われるようになり（Ｓ４２）、その結果として検査結果情報を出力する（Ｓ４３）。
【００７３】
一方、唾液保存部３５１は、洗浄部３５６によりその内部の洗浄が行われるようになり（Ｓ４４）、内部に残留する唾液及び洗浄液を唾液排出部３５４のソレノイドバルブを開放して外部に排出する（Ｓ４５）。
【００７４】
以上、幾つの実施形態を通じて本発明の技術的思想を説明した。
【００７５】
本発明の属する技術分野における通常の知識を有する者が本発明の記載事項から上述した本実施形態を多様に変形したり変更できることは自明である。また、たとえ明らかに図示されたり説明されなくても本発明の属する技術分野における通常の知識を有する者が本発明の記載事項から本発明による技術的思想を含む多様な形態の変形ができることは自明であり、これは依然として本発明の権利範囲に属する。添付する図面を参照して説明された前記の実施形態は本発明を説明するための目的として記述されたものであり、本発明の権利範囲はこのような実施形態に限定されない。
【符号の説明】
【００７６】
１  チップ
２  給水施設
３  唾液検査装置
４  センター
５  圧出機
６  チューブ
２１  飲用水パイプ
２２  ソレノイドバルブ
３１  接近感知部
３２  センサ部
３３  飲用水供給部
３４  ポンプ
３５  検査部
３６  通信部
３７  制御部
３８  メモリ
５１  ボタン
５２  結合部
３５１  唾液保存部
３５２  唾液供給部
３５３  検査モジュール
３５４  唾液排出部
３５５  重さ測定部
３５６  洗浄部
【図１】
2019534987.tif 000003
【図２】
2019534987.tif 000004
【図３】
2019534987.tif 000005
【図４】
2019534987.tif 000006
【図５】
2019534987.tif 000007
【図６】
2019534987.tif 000008
【図７】
2019534987.tif 000009
【図８】
2019534987.tif 000010
【国際調査報告】
2019534987.tif 000011
2019534987.tif 000012
2019534987.tif 000013
2019534987.tif 000014